(57)【要約】  本発明は、化粧品容器を使用する各工程において、使用者が効果的かつ快適に使用できる化粧品容器を提供するものである。本発明の化粧品容器は、化粧品を格納する本体と、本体に開閉可能に係合する蓋体を有し、使用者の片手で保持できる化粧品容器であって、化粧品容器は、平面視で卵型形状に形成され、平面視と直交する方向から視た形状が略楕円形状に形成されている。
2017212604.tif 000002
【特許請求の範囲】
【請求項１】
化粧品を格納する本体と、前記本体に開閉可能に係合する蓋体を有し、使用者の片手で保持できる化粧品容器であって、
前記化粧品容器は、平面視で卵型形状に形成され、
平面視と直交する方向から視た形状が略楕円形状に形成されている、
化粧品容器。
【請求項２】
前記卵型形状の短軸の長さ（Ｄ１）の長軸の長さ（Ｌ１）に対する比率α１（Ｄ１／Ｌ１）は０．７５以上０．８５以下であり、
前記短軸の位置は前記長軸の長さの半分（Ｌ２）に対応する位置から前記鈍端側に寄っており、当該寄った長さ（Ｌ３）の前記長軸の長さ（Ｌ１）に対する比率α２（Ｌ３／Ｌ１）が０．０５以上０．０７以下である、
請求項１に記載の化粧品容器。
【請求項３】
前記本体の外形において、
、前記卵型形状の長軸の長さ（Ｌ１）に対する平面部分の最大長さ（Ｐ１）の比率α３（Ｐ１／Ｌ１）は０．５０以下であり、前記卵型形状の短軸の長さ（Ｄ１）に対する平面部分の最大長さ（Ｐ２）の比率α４（Ｐ２／Ｄ１）は０．５０以下であり、
前記略楕円形状を構成する前記本体と前記蓋体の高さの比が、略１対１である、
請求項１または請求項２のいずれかに記載の化粧品容器。
【請求項４】
前記比率α３は０．４０以下であり、
前記比率α４は０．４０以下である、
請求項３に記載の化粧品容器。
【請求項５】
前記蓋体を前記本体に対して回動可能に軸止するヒンジ部が前記卵型形状の尖端側に配置され、前記蓋体を前記本体に対して開閉可能に固定する係止部が前記卵型形状の鈍端側に配置され、
前記蓋体と略相似形状の平面視卵型の鏡が前記蓋体の内側に配置されており、
前記使用者が、前記蓋体と前記本体の係止を解除して、前記蓋体を前記本体に対して回動させると、前記鏡の卵型の鈍端部が前記使用者から見て上側に位置するようになっている、
請求項１乃至請求項４のいずれかに記載の化粧品容器。
【請求項６】
前記卵型形状の長軸を中心として前記卵型形状を２分し、一方の外周について、卵型形状の尖端から短軸にほぼ該当する位置まで、ほぼ等分に３つに区分し、前記尖端側から順に、第一の領域、第二の領域及び第三の領域とし、ほぼ短軸に該当する位置から卵型の鈍端までの領域をほぼ等分に２つに区分し、前記短軸側から順に、第四の領域及び第五の領域とすると、前記卵型形状の外周の平均の曲率半径である平均曲率半径（Ｒａｂ）に対する前記第一の領域の曲率半径Ｒ１の比率β１（Ｒ１／Ｒａｂ）は０．５５以上０．６５以下であり、前記平均曲率半径（Ｒａｂ）に対する前記第二の領域の曲率半径Ｒ２の比率β２（Ｒ２／Ｒａｂ）は０．９５以上１．１０以下であり、前記平均曲率半径（Ｒａｂ）に対する前記第三の領域の曲率半径Ｒ３の比率β３（Ｒ３／Ｒａｂ）は１．２０以上１．５０以下であり、前記平均曲率半径（Ｒａｂ）に対する前記第四の領域の曲率半径Ｒ４の比率β４（Ｒ４／Ｒａｂ）は０．９０以上１．２０以下であり、前記平均曲率半径（Ｒａｂ）に対する前記第五の領域の曲率半径Ｒ３の比率β５（Ｒ５／Ｒａｂ）は０．７０以上０．９０以下である、
請求項１乃至請求項５のいずれかに記載の化粧品容器。
【請求項７】
前記化粧品容器を正面から視た前記略楕円形状の曲面状の外周について、前記本体と前記蓋体の接続部を含む領域を第一の領域とし、前記本体の最低部に最も近い領域を第三の領域とし、前記第一の領域と前記第三の領域の間の領域を第二の領域とすると、前記第一の領域、前記第二の領域及び前記第三の領域における外周の曲面形状の平均の曲率半径である平均曲率半径（ｒａｂ）に対する前記第一の領域の曲率半径Ｒ６の比率γ１（Ｒ６／ｒａｂ）は０．７０以上０．８５以下であり、前記平均曲率半径（ｒａｂ）に対する第二の領域の曲率半径Ｒ７の比率γ２（Ｒ７／ｒａｂ）は０．４０以上０．５５以下であり、前記平均曲率半径（ｒａｂ）に対する第三の領域の曲率半径Ｒ８の比率γ３（Ｒ８／ｒａｂ）は１．６０以上１．８０以下である、
請求項１乃至請求項６のいずれかに記載の化粧品容器。
【請求項８】
前記ヒンジ部の前記蓋体側または前記本体側には、板状突起が形成され、
前記ヒンジ部の前記板状突起が形成されていない前記本体側または前記蓋体側には、弾性材料で形成された弾性部材が配置され、
前記蓋体を前記本体に固定したときには、前記弾性部材が前記板状突起に押し込まれることによって変形状態となり、
前記蓋体と前記本体の固定を解除すると、前記弾性部材の形状回復力の作用によって、前記蓋体が前記本体に対してわずかに回動する、
請求項１乃至請求項７のいずれかに記載の化粧品容器。
【発明の詳細な説明】
【技術分野】
【０００１】
本発明は容器本体と蓋体を有する化粧品容器に関する。
【背景技術】
【０００２】
化粧品容器として、使用者が効果的かつ快適に容器を操作して、ファンデーション等の化粧料を塗布できることが重要である。【０００３】
例えば特許文献１において、蓋体に配置された鏡を回転可能にした化粧品容器が提案されている。
【先行技術文献】
【特許文献】
【０００４】
【特許文献１】特許５０９０２３１号
【発明の概要】
【発明が解決しようとする課題】
【０００５】
ところで、使用者が化粧品容器を使用するときには、容器を把持し（ステップ１）、容器の蓋を開け（ステップ２）、塗布具に化粧料を付し（ステップ３）、鏡を見ながら顔等に化粧料を塗布する（ステップ４）という一連の動作が必要である。しかし、従来の技術においては、ステップ４についての改善は提案されているが、特にステップ１に関連する問題についての改善は不十分である。【０００６】
本発明は、上記を踏まえて、化粧品容器を使用する各工程において、使用者が効果的かつ快適に使用できる化粧品容器を提供するものである。
【課題を解決するための手段】
【０００７】
第一の発明は、化粧品を格納する本体と、前記本体に開閉可能に係合する蓋体を有し、使用者の片手で保持できる化粧品容器であって、前記化粧品容器は、平面視で卵型形状に形成され、平面視と直交する方向から視た形状が略楕円形状に形成されている化粧品容器である。【０００８】
従来の化粧品容器の底面は、その大部分が平坦である。この構造は、机等の平らな面に化粧品を置いて化粧をするには適当な形状である。これに対して、本発明の発明者は、使用者がコンパクトなどの化粧品容器を使用する際に、化粧品容器を片手に保持しつつ、化粧を行う場合が多いことに着眼した。そして、掌と指で自然に形成する空間の形状は、平らな面を有するものではないことを見出し、このような手の構造と化粧品容器の構造の関係を研究した。その結果、従来の化粧品容器の構造とは逆に、底面の平坦部分が少ない方が、片手で保持しつつ化粧を行うのに好適であることを見出した。そして、第一の発明の構成によれば、化粧品容器が人の手にしっかりと固定され、化粧品容器を使用する各工程において、使用者が効果的かつ快適に使用できることに想到した。しかも、第一の発明の構成によれば、本体の深さ方向に大きな容積を確保できるから、格納可能な化粧品の量も多くなる。【０００９】
第二の発明は、第一の発明の構成において、前記卵型形状の短軸の長さ（Ｄ１）の長軸の長さ（Ｌ１）に対する比率α１（Ｄ１／Ｌ１）は０．７５以上０．８５以下であり、前記短軸の位置は前記長軸の長さの半分（Ｌ２）に対応する位置から前記鈍端側に寄っており、当該寄った長さ（Ｌ３）の前記長軸の長さ（Ｌ１）に対する比率α２（Ｌ３／Ｌ１）が０．０５以上０．０７以下である化粧品容器である。【００１０】
第三の発明は、第一の発明または第二の発明のいずれかの構成において、前記本体の外形において、前記卵型形状の長軸の長さ（Ｌ１）に対する平面部分の最大長さ（Ｐ１）の比率α３（Ｐ１／Ｌ１）は０．５０以下であり、前記卵型形状の短軸の長さ（Ｄ１）に対する平面部分の最大長さ（Ｐ２）の比率α４（Ｐ２／Ｄ１）は０．５０以下であり、前記略楕円形状を構成する前記本体と前記蓋体の高さの比が、略１対１である、化粧品容器である。【００１１】
第四の発明は第三の発明の構成において、前記比率α３は０．４０以下であり、前記比率α４は０．４０以下である化粧品容器である。【００１２】
第五の発明は、第一の発明乃至第四の発明のいずれかの構成において、前記蓋体を前記本体に対して回動可能に軸止するヒンジ部が前記卵型形状の尖端側に配置され、前記蓋体を前記本体に対して開閉可能に固定する係止部が前記卵型形状の鈍端側に配置され、前記蓋体と略相似形状の平面視卵型の鏡が前記蓋体の内側に配置されており、前記使用者が、前記蓋体と前記本体の係止を解除して、前記蓋体を前記本体に対して回動させると、前記鏡の卵型の鈍端部が前記使用者から見て上側に位置するようになっている化粧品容器である。【００１３】
本発明の発明者は、人間の両目と鼻を結ぶ形状が略二等辺三角形であり、しかも、その領域が化粧をする際の重要領域であることに着目した。その重要領域において効率良く化粧を実施するためには、使用者から見て、鏡の上側が下側よりも幅が広いのが望ましい。この点、本発明の構成によれば、卵型の鏡の鈍端部側が上述の略二等辺三角形の底辺側を映し、尖端側が頂点側を映すようになっているから、上記の重要領域について、効率的に化粧を実施することができる。【００１４】
第六の発明は、第一の発明乃至第五の発明のいずれかの構成において、前記卵型形状の長軸を中心として前記卵型形状を２分し、一方の外周について、卵型形状の尖端から短軸にほぼ該当する位置まで、ほぼ等分に３つに区分し、前記尖端側から順に、第一の領域、第二の領域及び第三の領域とし、ほぼ短軸に該当する位置から卵型の鈍端までの領域をほぼ等分に２つに区分し、前記短軸側から順に、第四の領域及び第五の領域とすると、前記卵型形状の外周の平均の曲率半径である平均曲率半径（Ｒａｂ）に対する前記第一の領域の曲率半径Ｒ１の比率β１（Ｒ１／Ｒａｂ）は０．５５以上０．６５以下であり、前記平均曲率半径（Ｒａｂ）に対する前記第二の領域の曲率半径Ｒ２の比率β２（Ｒ２／Ｒａｂ）は０．９５以上１．１０以下であり、前記平均曲率半径（Ｒａｂ）に対する前記第三の領域の曲率半径Ｒ３の比率β３（Ｒ３／Ｒａｂ）は１．２０以上１．５０以下であり、前記平均曲率半径（Ｒａｂ）に対する前記第四の領域の曲率半径Ｒ４の比率β４（Ｒ４／Ｒａｂ）は０．９０以上１．２０以下であり、前記平均曲率半径（Ｒａｂ）に対する前記第五の領域の曲率半径Ｒ３の比率β５（Ｒ５／Ｒａｂ）は０．７０以上０．９０以下である、化粧品容器である。【００１５】
第七の発明は、第一の発明乃至第六の発明のいずれかの構成において、前記化粧品容器を正面から視た前記略楕円形状の曲面状の外周について、前記本体と前記蓋体の接続部を含む領域を第一の領域とし、前記本体の最低部に最も近い領域を第三の領域とし、前記第一の領域と前記第三の領域の間の領域を第二の領域とすると、前記第一の領域、前記第二の領域及び前記第三の領域における外周の曲面形状の平均の曲率半径である平均曲率半径（ｒａｂ）に対する前記第一の領域の曲率半径Ｒ６の比率γ１（Ｒ６／ｒａｂ）は０．７０以上０．８５以下であり、前記平均曲率半径（ｒａｂ）に対する第二の領域の曲率半径Ｒ７の比率γ２（Ｒ７／ｒａｂ）は０．４０以上０．５５以下であり、前記平均曲率半径（ｒａｂ）に対する第三の領域の曲率半径Ｒ８の比率γ３（Ｒ８／ｒａｂ）は１．６０以上１．８０以下である、化粧品容器である。【００１６】
第八の発明は、第一の発明乃至第七の発明のいずれかの構成において、前記ヒンジ部の前記蓋体側または前記本体側には、板状突起が形成され、前記ヒンジ部の前記板状突起が形成されていない前記本体側または前記蓋体側には、弾性材料で形成された弾性部材が配置され、前記蓋体を前記本体に固定したときには、前記弾性部材が前記板状突起に押し込まれることによって変形状態となり、前記蓋体と前記本体の固定を解除すると、前記弾性部材の形状回復力の作用によって、前記蓋体が前記本体に対してわずかに回動する、化粧品容器である。【００１７】
第八の発明の構成によれば、蓋体と本体の固定を解除すると、自動的に、蓋体が本体に対してわずかに回動し、開いた状態になるから、使用者は、蓋体と本体との隙間に指を差し入れて、容易に蓋体を所望の位置まで回動させることができる。
【発明の効果】
【００１８】
本発明にかかる化粧品容器によれば、化粧品容器を使用する各工程において、使用者が効果的かつ快適に使用できる。
【図面の簡単な説明】
【００１９】
【図１】本発明の一実施形態にかかる化粧品容器の概略斜視図である。
【図２】蓋体の概略平面図である。
【図３】蓋体の概略平面図である。
【図４】化粧品容器の概略側面図である。
【図５】化粧品容器の概略正面図である。
【図６】レフィルを示す概略斜視図である。
【図７】パフを示す概略斜視図である。
【図８】スポンジを示す概略斜視図である。
【図９】蓋体の裏面を示す概略図である。
【図１０】蓋体の概略端面図である。
【図１１】蓋体のヒンジ部の概略端面図である。
【図１２】蓋体のヒンジ部の一部を示す概略拡大図である。
【図１３】本体の底面を示す概略図である。
【図１４】本体のヒンジ部の概略図である。
【図１５】本体のヒンジ部の一部材を示す概略図である。
【図１６】本体のヒンジ部の一部材を示す概略図である。
【図１７】化粧品容器の内部構造を示す概略端面図である。
【図１８】化粧品容器の内部構造を示す概略端面図である。
【図１９】ヒンジ部の弾性部材の変形の様子を示す概略図である。
【図２０】人間の手の自然な形状を示す概略図である。
【図２１】人間の手に化粧品容器が把持される状態を示す概略図である。
【図２２】本体と蓋体の固定が解除される状態を示す概略図である。
【図２３】本体に対して蓋体が回動し、卵型の鏡の鈍端部側が上側になった状態を示す概略図である。
【図２４】中蓋が開けられて、化粧が可能になった状態を示す概略図である。
【発明を実施するための形態】
【００２０】
以下、図面に基づき本発明の好適な実施形態を説明する。なお、当業者が適宜実施できる構成については説明を省略し、本発明の基本的な構成についてのみ説明する。
【００２１】
図１に示すように、化粧品容器１は、蓋体１０と本体５０を有する。本体５０は、筐体５１とレフィル１００（図６参照）で構成される。化粧品容器１は、図２及び図３に示すように、平面視で卵型形状である。また、図４及び図５に示すように、化粧品容器１を平面視と直交する方向から視た形状は略楕円形状である。この構造によって、化粧品容器１は、使用者の片手にしっかりと固定される。また、本体５０の壁面の曲面は、最低面のわずかな平坦面まで連続しているから、深さ方向に大きな容積を確保でき、格納可能な化粧品の量も多くなる。本実施形態のレフィル１００には、２０ｇ（グラム）のファンデーションが格納可能である。これは、平面視で同一面積の従来の化粧品容器よりも、約２５重量％（パーセント）多い。
【００２２】
化粧品容器１は、使用者の片手で保持できる程度の大きさである。図４及び図５に示すように、蓋体１０と本体５０の高さの比は、ほぼ１対１であり、本実施形態において、化粧品容器１の全体の高さＨ１は３０．５ｍｍ（ミリメートル）であり、蓋体１０の高さＨ２は１５．５ｍｍ、本体５０の高さＨ３は１５．０ｍｍである。
【００２３】
化粧品容器１を平面視したときの形状を規定する要素として、図３に示す卵型形状の長軸の長さＬ１及び短軸の長さＤ１、及び短軸の位置がある。
【００２４】
卵型形状の短軸の長さＤ１の長軸の長さＬ１に対する比率α１（Ｄ１／Ｌ１）は０．７５以上０．８５以下である。そして、図３に示すように、化粧品容器１の卵型形状の長軸の長さをＬ１とすると、長さＬ１の半分の長さＬ２に対応する部分（補助線Ｘ１で示す部分）が短軸（最大の幅を有する位置）に対応しているのではなく、わずかに（長さＬ３で示す分だけ）鈍端側寄りの部分が短軸（補助線Ｘ２で示す部分）である。そして、鈍端側に寄った長さＬ３の長軸の長さＬ１に対する比率α２（Ｌ３／Ｌ１）が０．０５以上０．０７以下である。本実施形態において、卵型形状の長軸の長さＬ１は８５．６ｍｍ、短軸の長さＤ１は７０ｍｍ、Ｌ３は５ｍｍである。比率α１は０．８１、比率α２は０．０６である。
【００２５】
図４に示すように、本体５０の卵型形状の長軸の長さＬ１に対する平面部分の長さＰ１の比率α３（Ｐ１／Ｌ１）は０．５０以下であり、望ましくは０．４０以下である。また、図５に示すように、短軸の長さＤ１に対する平面部分の長さＰ２の比率α４（Ｐ２／Ｄ１）は０．５０以下であり、望ましくは０．４０以下である。比率α３及びα４は、０．００であってもよい。本実実施形態において、Ｐ１は３５ｍｍであり、Ｌ１は８５．６ｍｍであるから、比率α３は０．４０である。Ｐ２は、２７ｍｍであり、Ｄ１は７０ｍｍであるから、比率α４は０．３８である。
【００２６】
化粧品容器１の卵型形状の説明の便宜のため、卵型形状の外周をいくつかの領域に分けて説明する。図３に示すように、卵型形状の長軸を中心に外周を２分し、卵型形状の尖端からほぼ短軸に該当する位置まで、ほぼ等分に３つに区分し、第一の領域Ａ１、第二の領域Ａ２及び第三の領域Ａ３とし、ほぼ短軸に該当する位置から卵型形状の鈍端までの領域をほぼ等分に２つに区分し、第四の領域Ａ４及び第五の領域Ａ５とする。そして、卵型形状の外周の平均の曲率半径を平均曲率半径（Ｒａｂ）とする。平均曲率半径の値は、領域Ａ１，Ａ２，Ａ３，Ａ４及びＡ５における曲率半径の平均値である。
【００２７】
平均曲率半径（Ｒａｂ）に対する領域Ａ１の曲率半径Ｒ１の比率β１（Ｒ１／Ｒａｂ）は０．５５以上０．６５以下であり、平均曲率半径（Ｒａｂ）に対する領域Ａ２の曲率半径Ｒ２の比率β２（Ｒ２／Ｒａｂ）は０．９５以上１．１０以下であり、平均曲率半径（Ｒａｂ）に対する領域Ａ３の曲率半径Ｒ３の比率β３（Ｒ３／Ｒａｂ）は１．２０以上１．５０以下であり、平均曲率半径（Ｒａｂ）に対する領域Ａ４の曲率半径Ｒ４の比率β４（Ｒ４／Ｒａｂ）は０．９０以上１．２０以下であり、平均曲率半径（Ｒａｂ）に対する領域Ａ５の曲率半径Ｒ３の比率β５（Ｒ５／Ｒａｂ）は０．７０以上０．９０以下である。本実施形態において、Ｒ１は２４．５ｍｍ、Ｒ２は４２．５ｍｍ、Ｒ３は５９．５ｍｍ、Ｒ４は４５．５ｍｍ、Ｒ５は３４．５ｍｍであり、Ｒａｂは４１．３ｍｍである。そして、比率β１は０．５９、比率β２は０．９７、比率β３は１．４４、比率β４は１．１０、比率β５は０．８４である。
【００２８】
次に、化粧品容器１の楕円形状の説明の便宜のため、楕円形状の外周をいくつかの領域に分けて説明する。図５に示すように、本体５０の係止部５４を含む正面から視た略楕円形状の曲面状の外周について、蓋体１０と本体５０の接続部を含む領域を第一の領域Ｂ１、最も本体５０の底面に近い領域を第三の領域Ｂ３、領域Ｂ１と領域Ｂ３の間の領域を第二の領域Ｂ２とする。領域Ｂ１、Ｂ２及びＢ３は、ほぼ同じ外周長さを有する領域であり、領域Ｂ１、Ｂ２及びＢ３の長さの合計は、楕円形状の外周の約２０〜２５％を占める。
【００２９】
そして、領域Ｂ１、Ｂ２及びＢ３における外周の曲面状の部分の平均の曲率半径を平均曲率半径（ｒａｂ）とする。平均曲率半径（ｒａｂ）に対する領域Ｂ１の曲率半径Ｒ６の比率γ１（Ｒ６／ｒａｂ）は０．７０以上０．８５以下であり、平均曲率半径（ｒａｂ）に対する領域Ｂ２の曲率半径Ｒ７の比率γ２（Ｒ７／ｒａｂ）は０．４０以上０．５５以下であり、平均曲率半径（ｒａｂ）に対する領域Ｂ３の曲率半径Ｒ８の比率γ３（Ｒ８／ｒａｂ）は１．６０以上１．８０以下である。本実施形態において、Ｒ６は１８．５０ｍｍであり、Ｒ７は１１．５０ｍｍであり、Ｒ８は４１．００ｍｍである。そして、ｒａｂは、２３．６０ｍｍである。γ１は０．７８、γ２は０．４８、γ３は１．７３である。
【００３０】
続いて、化粧品容器１の各部について説明する。図６に示すように、レフィル１００は、レフィル蓋部１１０とレフィル容器部１５０を有する。レフィル１００は筐体５１と係合して、本体５０の一部分となる。レフィル蓋部１１０の上面は、底部１１０ａと周壁部１１０ｂからなる凹溝が形成されており、パフ２００（図７参照）を格納できるようになっている。パフ２００は、パフ本体２０２と保持帯２０４から構成される。レフィル容器１５０には、例えば、液体ファンデーションのような化粧品とスポンジ２５０（図８参照）が格納される。レフィル容器部１５０には、環状凸部１５０ａが形成されており（図６参照）、本体５０の筐体部５１の内側に形成された環状凹部と係合し、取り外し自在な状態で、固定されるようになっている。レフィル容器部１５０に格納された化粧品が消費尽くされた後は、レフィル１００のみを交換できるようになっている。レフィル１００を筐体部５１に固定したときに、レフィル容器部１５０の底部１５０ｂは外部に露出する（図４等参照）。上述の比率α３及びα４が、０．５以下、望ましくは０．４以下であるため、底部１５０は、全面が平坦になっているのではない。
【００３１】
図９に示すように、蓋体１０の裏側には、蓋体１０と略相似形状の平面視卵型の鏡１２が配置されている。蓋体１０の裏側には、また、突起１４ａ，１４ｂ，１４ｃが形成されている。突起１４ａ等は、レフィル１００が固定された状態で筐体部５１と蓋体１０とが係合するときに、レフィル蓋部１１０の周壁部１１０ｂに接して、レフィル１００の固定を補助するようになっている。蓋体１０の尖端側には、ヒンジ部１６が配置されている。ヒンジ部１６は、基部１６ａと金属製の軸１６ｂを有し、軸１６ｂが筐体５１側のヒンジ部の軸受け穴部（図示せず）と係合し、蓋体１０を筐体５１に対して回動可能に軸止するようになっている。
【００３２】
図１０（図１０では、鏡１２を省略している。）に示すように、蓋体１０において、一方の端部には、ヒンジ部１６の近傍に、板状突起１６ｃが形成されている。また、他方の端部には溝１０ａが形成されており、筐体５１の固定用爪部（図示せず）と係合して、蓋体１０を筐体５１に開閉可能に固定するようになっている。
【００３３】
図１１に示すように、蓋体１０のヒンジ部１６の突起部１６ｃの高さは、基部１６ａの高さｈ１よりも、高さｈ２だけ低くなっている。また、軸１６ｂの中心から板状突起部１６ｃの上面までの距離Ｔ１、板状突起部１６ｃの幅Ｔ２は、蓋体１０を回動させて本体５０に固定したときに、本体５０側の弾性部材５８（図１４等参照）と面接触し、かつ、弾性部材５８を本体５０側に押し込むことができるように規定されている。本実施形態において、ｈ２は０．３ｍｍである。Ｔ１は５．２ｍｍ、Ｔ２は１．８ｍｍである。
【００３４】
図１３に示すように、本体５０の卵型形状の鈍端側には、筐体５１に係止部５４が配置されている。係止部５４には、蓋体１０の溝部１０ａと係合する爪部（図示せず）が形成されている。また、本体５０の卵型形状の尖端側には、筐体５１にヒンジ部５２が形成されている。ヒンジ部５２には、軸受穴部（図示せず）が形成されており、蓋体１０側のヒンジ部１６の軸１６ｂと係合するようになっている。
【００３５】
図１４は、本体５０の卵型形状の尖端側のヒンジ部５２を示す。弾性部材５８（図１５及び図１６参照）が、中間固定部材５６とヒンジ部５２の舌状部５２ａによって、固定されている。
【００３６】
図１５及び図１６に示すように、弾性部材５８は、基部５８ａと凸部５８ｂを有する。凸部５８ｂは、幅Ｗ１、長さＬ１０、高さｈ１を有する。弾性部材５８全体の高さはｈ２である。本実施形態において、Ｗ１は６ｍｍ、Ｌ１０は２．２ｍｍ、ｈ１は１．８ｍｍ、ｈ２は３．２ｍｍである。
【００３７】
図１７は、図３の補助線Ｙ１における化粧品容器１の概略端面図である。図１８は、図７の補助線Ｘ２における化粧品容器１の概略端面図である。図１７及び図１８に示すように、化粧品容器１は、空間Ｓ１及びＳ２を有する。空間Ｓ１には、パフ２００（図７参照）が格納される。空間Ｓ２には、化粧料とスポンジ２５０（図８参照）が格納される。環状リング１５０ｃによって、スポンジ２５０を空間Ｓ２に固定するようになっている。図１８の、レフィル蓋部１００のヒンジ部１１０ｃに形成された軸受穴と、レフィル容器部１５０側の軸１５０ｄによって、レフィル蓋部１１０とレフィル容器部１５０が回動可能に固定されるようになっている。図１７及び図１８に示すように、蓋体１０が筐体５１に対して回動する方向と、レフィル蓋部１１０がレフィル容器部１５０に対して回動する方向とは、略９０度の角度をなしている。蓋体１０及びレフィル１１０がともに開いた状態は、図２４に示されている。
【００３８】
図１９は、蓋体１０が回動して本体５０に固定されるときにおける、板状突起１６ｃと弾性部材５８の相対的な動きを示す。蓋体１０が本体５０に対して十分に開いているとき（図１９（ａ）参照）には、板状突起１６ｃと弾性部材５８は乖離しているが、蓋体１０が回動すると、板状突起１６ｃは弾性部材５８次第に近づき（図１９（ｂ）参照）、接する（図１９（ｃ）参照）。板状突起１６ｃが弾性部材５８と接した時点では、弾性部材５８は本来の高さｈ１を維持している。そして、蓋体１０がさらに回動して、本体５０と固定されるまでに、弾性部材５８は変形し、高さｈ１は次第に低くなり、固定時には高さｈ３となる。弾性部材５８が高さｈ３のときには、矢印Ｘ１方向の反発力（形状回復力）が働いている。このため、蓋体１０と本体５０の固定が解除されると、この反発力によって、自動的に、蓋体１０がわずかに回動し、本体５０との間に隙間を形成するようになっている。
【００３９】
図２０に示すように、人間の手において、掌と指で自然に形成する空間は、略卵型をしている。図２０では、左手３００において、掌３００ａ及び５本の指３００ｂ，３００ｃ，３００ｄ，３００ｅ，３００ｆによって、卵型の空間を形成している。この卵型の空間は、平面視で卵型であり、それと直交する方向は、略楕円形である。すなわち、掌と指で形成する空間は、平坦な底面を有する空間ではなく、底面は曲面である。本発明の発明者は、手の構造についてのこの知見に基づいて、上記に詳述した構造の化粧品容器１が、使用者の手にしっかりと固定されることを見出した。
【００４０】
図２１に示すように、平面視で卵型形状の化粧品容器１は、掌３００ａ及び５本の指３００ｂ，３００ｃ，３００ｄ，３００ｅ，３００ｆによって形成される空間にしっかりと固定される。すなわち、化粧品容器１の卵型形状が、親指３００ｂの腹の部分と、人差指３００ｃ、中指３００ｄ、薬指３００ｅ及び小指３００ｆで形成される空間の形状と相似形であるから、掌及び５本の指で形成される空間に自然に嵌る。また、化粧品容器１を平面視と直交する方向から視た形状が楕円形状であるから、掌及び５本の指で形成される空間の深さ方向においても、化粧品容器１は掌及び５本の指で形成される空間に自然に嵌る。そして、化粧品容器１に矢印Ｚ１方向への力が加えられても、親指３００ｂの腹の部分及び人差指３００ｃ、中指３００ｄに遮られて、化粧品容器１が左手３００から抜けることはない。
【００４１】
図２２に示すように、蓋部１０と本体５０の固定を解除するために、右手４００の親指４００ａで、化粧品容器１の卵型形状の鈍端側に形成された係止部５４を押圧すると、化粧品容器１に矢印Ｚ１方向の力が加われるのであるが、左手３００から抜けることはない。
【００４２】
図２３に示すように、蓋部１０と本体５０の固定を解除して、蓋部１０を回動させて、十分に広げると、パフ２００が取り出し可能になる。そして、図２４に示すように、パフ２００を取り出して、レフィル蓋部１１０を開けると、スポンジ２５０が現れ、化粧可能な状態になる。このとき、使用者から見て、鏡１２の鈍端側（幅の広い側）が上部になるから、使用者の両目と鼻で形成される略三角形の領域を効率的に化粧することができる。
【００４３】
なお、本発明の化粧品容器は、上記実施形態に限らず、本発明の要旨を逸脱しない範囲内において種々変更を加えることができる。
【符号の説明】
【００４４】
１    化粧品容器
１０  蓋体
５０  本体
５１  筐体
１００  レフィル
１１０  レフィル蓋部
１５０  レフィル容器部
【図１】
2017212604.tif 000003
【図２】
2017212604.tif 000004
【図３】
2017212604.tif 000005
【図４】
2017212604.tif 000006
【図５】
2017212604.tif 000007
【図６】
2017212604.tif 000008
【図７】
2017212604.tif 000009
【図８】
2017212604.tif 000010
【図９】
2017212604.tif 000011
【図１０】
2017212604.tif 000012
【図１１】
2017212604.tif 000013
【図１２】
2017212604.tif 000014
【図１３】
2017212604.tif 000015
【図１４】
2017212604.tif 000016
【図１５】
2017212604.tif 000017
【図１６】
2017212604.tif 000018
【図１７】
2017212604.tif 000019
【図１８】
2017212604.tif 000020
【図１９】
2017212604.tif 000021
【図２０】
2017212604.tif 000022
【図２１】
2017212604.tif 000023
【図２２】
2017212604.tif 000024
【図２３】
2017212604.tif 000025
【図２４】
2017212604.tif 000026
【手続補正書】
【提出日】平成28年11月15日(2016.11.15)
【手続補正１】
【補正対象書類名】特許請求の範囲
【補正対象項目名】請求項２
【補正方法】変更
【補正の内容】
【請求項２】
前記卵型形状の短軸の長さ（Ｄ１）の長軸の長さ（Ｌ１）に対する比率α１（Ｄ１／Ｌ１）は０．７５以上０．８５以下であり、
前記短軸の位置は前記長軸の長さの半分（Ｌ２）に対応する位置から鈍端側に寄っており、当該寄った長さ（Ｌ３）の前記長軸の長さ（Ｌ１）に対する比率α２（Ｌ３／Ｌ１）が０．０５以上０．０７以下である、
請求項１に記載の化粧品容器。
【手続補正２】
【補正対象書類名】特許請求の範囲
【補正対象項目名】請求項６
【補正方法】変更
【補正の内容】
【請求項６】
前記卵型形状の長軸を中心として前記卵型形状を２分し、一方の外周について、卵型形状の尖端から短軸にほぼ該当する位置まで、ほぼ等分に３つに区分し、前記尖端側から順に、第一の領域、第二の領域及び第三の領域とし、ほぼ短軸に該当する位置から卵型の鈍端までの領域をほぼ等分に２つに区分し、前記短軸側から順に、第四の領域及び第五の領域とすると、前記卵型形状の外周の平均の曲率半径である平均曲率半径（Ｒａｂ）に対する前記第一の領域の曲率半径Ｒ１の比率β１（Ｒ１／Ｒａｂ）は０．５５以上０．６５以下であり、前記平均曲率半径（Ｒａｂ）に対する前記第二の領域の曲率半径Ｒ２の比率β２（Ｒ２／Ｒａｂ）は０．９５以上１．１０以下であり、前記平均曲率半径（Ｒａｂ）に対する前記第三の領域の曲率半径Ｒ３の比率β３（Ｒ３／Ｒａｂ）は１．２０以上１．５０以下であり、前記平均曲率半径（Ｒａｂ）に対する前記第四の領域の曲率半径Ｒ４の比率β４（Ｒ４／Ｒａｂ）は０．９０以上１．２０以下であり、前記平均曲率半径（Ｒａｂ）に対する前記第五の領域の曲率半径Ｒ５の比率β５（Ｒ５／Ｒａｂ）は０．７０以上０．９０以下である、
請求項１乃至請求項５のいずれかに記載の化粧品容器。
【手続補正書】
【提出日】平成28年11月15日(2016.11.15)
【手続補正１】
【補正対象書類名】明細書
【補正対象項目名】全文
【補正方法】変更
【補正の内容】
【発明の詳細な説明】
【技術分野】
【０００１】
本発明は容器本体と蓋体を有する化粧品容器に関する。
【背景技術】
【０００２】
化粧品容器として、使用者が効果的かつ快適に容器を操作して、ファンデーション等の化粧料を塗布できることが重要である。
【０００３】
例えば特許文献１において、蓋体に配置された鏡を回転可能にした化粧品容器が提案されている。
【先行技術文献】
【特許文献】
【０００４】
【特許文献１】特許５０９０２３１号
【発明の概要】
【発明が解決しようとする課題】
【０００５】
ところで、使用者が化粧品容器を使用するときには、容器を把持し（ステップ１）、容器の蓋を開け（ステップ２）、塗布具に化粧料を付し（ステップ３）、鏡を見ながら顔等に化粧料を塗布する（ステップ４）という一連の動作が必要である。しかし、従来の技術においては、ステップ４についての改善は提案されているが、特にステップ１に関連する問題についての改善は不十分である。
【０００６】
本発明は、上記を踏まえて、化粧品容器を使用する各工程において、使用者が効果的かつ快適に使用できる化粧品容器を提供するものである。
【課題を解決するための手段】
【０００７】
第一の発明は、化粧品を格納する本体と、前記本体に開閉可能に係合する蓋体を有し、使用者の片手で保持できる化粧品容器であって、前記化粧品容器は、平面視で卵型形状に形成され、平面視と直交する方向から視た形状が略楕円形状に形成されている化粧品容器である。
【０００８】
従来の化粧品容器の底面は、その大部分が平坦である。この構造は、机等の平らな面に化粧品を置いて化粧をするには適当な形状である。これに対して、本発明の発明者は、使用者がコンパクトなどの化粧品容器を使用する際に、化粧品容器を片手に保持しつつ、化粧を行う場合が多いことに着眼した。そして、掌と指で自然に形成する空間の形状は、平らな面を有するものではないことを見出し、このような手の構造と化粧品容器の構造の関係を研究した。その結果、従来の化粧品容器の構造とは逆に、底面の平坦部分が少ない方が、片手で保持しつつ化粧を行うのに好適であることを見出した。そして、第一の発明の構成によれば、化粧品容器が人の手にしっかりと固定され、化粧品容器を使用する各工程において、使用者が効果的かつ快適に使用できることに想到した。しかも、第一の発明の構成によれば、本体の深さ方向に大きな容積を確保できるから、格納可能な化粧品の量も多くなる。
【０００９】
第二の発明は、第一の発明の構成において、前記卵型形状の短軸の長さ（Ｄ１）の長軸の長さ（Ｌ１）に対する比率α１（Ｄ１／Ｌ１）は０．７５以上０．８５以下であり、前記短軸の位置は前記長軸の長さの半分（Ｌ２）に対応する位置から鈍端側に寄っており、当該寄った長さ（Ｌ３）の前記長軸の長さ（Ｌ１）に対する比率α２（Ｌ３／Ｌ１）が０．０５以上０．０７以下である化粧品容器である。
【００１０】
第三の発明は、第一の発明または第二の発明のいずれかの構成において、前記本体の外形において、前記卵型形状の長軸の長さ（Ｌ１）に対する平面部分の最大長さ（Ｐ１）の比率α３（Ｐ１／Ｌ１）は０．５０以下であり、前記卵型形状の短軸の長さ（Ｄ１）に対する平面部分の最大長さ（Ｐ２）の比率α４（Ｐ２／Ｄ１）は０．５０以下であり、前記略楕円形状を構成する前記本体と前記蓋体の高さの比が、略１対１である、化粧品容器である。
【００１１】
第四の発明は第三の発明の構成において、前記比率α３は０．４０以下であり、前記比率α４は０．４０以下である化粧品容器である。
【００１２】
第五の発明は、第一の発明乃至第四の発明のいずれかの構成において、前記蓋体を前記本体に対して回動可能に軸止するヒンジ部が前記卵型形状の尖端側に配置され、前記蓋体を前記本体に対して開閉可能に固定する係止部が前記卵型形状の鈍端側に配置され、前記蓋体と略相似形状の平面視卵型の鏡が前記蓋体の内側に配置されており、前記使用者が、前記蓋体と前記本体の係止を解除して、前記蓋体を前記本体に対して回動させると、前記鏡の卵型の鈍端部が前記使用者から見て上側に位置するようになっている化粧品容器である。
【００１３】
本発明の発明者は、人間の両目と鼻を結ぶ形状が略二等辺三角形であり、しかも、その領域が化粧をする際の重要領域であることに着目した。その重要領域において効率良く化粧を実施するためには、使用者から見て、鏡の上側が下側よりも幅が広いのが望ましい。この点、本発明の構成によれば、卵型の鏡の鈍端部側が上述の略二等辺三角形の底辺側を映し、尖端側が頂点側を映すようになっているから、上記の重要領域について、効率的に化粧を実施することができる。
【００１４】
第六の発明は、第一の発明乃至第五の発明のいずれかの構成において、前記卵型形状の長軸を中心として前記卵型形状を２分し、一方の外周について、卵型形状の尖端から短軸にほぼ該当する位置まで、ほぼ等分に３つに区分し、前記尖端側から順に、第一の領域、第二の領域及び第三の領域とし、ほぼ短軸に該当する位置から卵型の鈍端までの領域をほぼ等分に２つに区分し、前記短軸側から順に、第四の領域及び第五の領域とすると、前記卵型形状の外周の平均の曲率半径である平均曲率半径（Ｒａｂ）に対する前記第一の領域の曲率半径Ｒ１の比率β１（Ｒ１／Ｒａｂ）は０．５５以上０．６５以下であり、前記平均曲率半径（Ｒａｂ）に対する前記第二の領域の曲率半径Ｒ２の比率β２（Ｒ２／Ｒａｂ）は０．９５以上１．１０以下であり、前記平均曲率半径（Ｒａｂ）に対する前記第三の領域の曲率半径Ｒ３の比率β３（Ｒ３／Ｒａｂ）は１．２０以上１．５０以下であり、前記平均曲率半径（Ｒａｂ）に対する前記第四の領域の曲率半径Ｒ４の比率β４（Ｒ４／Ｒａｂ）は０．９０以上１．２０以下であり、前記平均曲率半径（Ｒａｂ）に対する前記第五の領域の曲率半径Ｒ５の比率β５（Ｒ５／Ｒａｂ）は０．７０以上０．９０以下である、化粧品容器である。
【００１５】
第七の発明は、第一の発明乃至第六の発明のいずれかの構成において、前記化粧品容器を正面から視た前記略楕円形状の曲面状の外周について、前記本体と前記蓋体の接続部を含む領域を第一の領域とし、前記本体の最低部に最も近い領域を第三の領域とし、前記第一の領域と前記第三の領域の間の領域を第二の領域とすると、前記第一の領域、前記第二の領域及び前記第三の領域における外周の曲面形状の平均の曲率半径である平均曲率半径（ｒａｂ）に対する前記第一の領域の曲率半径Ｒ６の比率γ１（Ｒ６／ｒａｂ）は０．７０以上０．８５以下であり、前記平均曲率半径（ｒａｂ）に対する第二の領域の曲率半径Ｒ７の比率γ２（Ｒ７／ｒａｂ）は０．４０以上０．５５以下であり、前記平均曲率半径（ｒａｂ）に対する第三の領域の曲率半径Ｒ８の比率γ３（Ｒ８／ｒａｂ）は１．６０以上１．８０以下である、化粧品容器である。
【００１６】
第八の発明は、第一の発明乃至第七の発明のいずれかの構成において、前記ヒンジ部の前記蓋体側または前記本体側には、板状突起が形成され、前記ヒンジ部の前記板状突起が形成されていない前記本体側または前記蓋体側には、弾性材料で形成された弾性部材が配置され、前記蓋体を前記本体に固定したときには、前記弾性部材が前記板状突起に押し込まれることによって変形状態となり、前記蓋体と前記本体の固定を解除すると、前記弾性部材の形状回復力の作用によって、前記蓋体が前記本体に対してわずかに回動する、化粧品容器である。
【００１７】
第八の発明の構成によれば、蓋体と本体の固定を解除すると、自動的に、蓋体が本体に対してわずかに回動し、開いた状態になるから、使用者は、蓋体と本体との隙間に指を差し入れて、容易に蓋体を所望の位置まで回動させることができる。
【発明の効果】
【００１８】
本発明にかかる化粧品容器によれば、化粧品容器を使用する各工程において、使用者が効果的かつ快適に使用できる。
【図面の簡単な説明】
【００１９】
【図１】本発明の一実施形態にかかる化粧品容器の概略斜視図である。
【図２】蓋体の概略平面図である。
【図３】蓋体の概略平面図である。
【図４】化粧品容器の概略側面図である。
【図５】化粧品容器の概略正面図である。
【図６】レフィルを示す概略斜視図である。
【図７】パフを示す概略斜視図である。
【図８】スポンジを示す概略斜視図である。
【図９】蓋体の裏面を示す概略図である。
【図１０】蓋体の概略端面図である。
【図１１】蓋体のヒンジ部の概略端面図である。
【図１２】蓋体のヒンジ部の一部を示す概略拡大図である。
【図１３】本体の底面を示す概略図である。
【図１４】本体のヒンジ部の概略図である。
【図１５】本体のヒンジ部の一部材を示す概略図である。
【図１６】本体のヒンジ部の一部材を示す概略図である。
【図１７】化粧品容器の内部構造を示す概略端面図である。
【図１８】化粧品容器の内部構造を示す概略端面図である。
【図１９】ヒンジ部の弾性部材の変形の様子を示す概略図である。
【図２０】人間の手の自然な形状を示す概略図である。
【図２１】人間の手に化粧品容器が把持される状態を示す概略図である。
【図２２】本体と蓋体の固定が解除される状態を示す概略図である。
【図２３】本体に対して蓋体が回動し、卵型の鏡の鈍端部側が上側になった状態を示す概略図である。
【図２４】中蓋が開けられて、化粧が可能になった状態を示す概略図である。
【発明を実施するための形態】
【００２０】
以下、図面に基づき本発明の好適な実施形態を説明する。なお、当業者が適宜実施できる構成については説明を省略し、本発明の基本的な構成についてのみ説明する。
【００２１】
図１に示すように、化粧品容器１は、蓋体１０と本体５０を有する。本体５０は、筐体５１とレフィル１００（図６参照）で構成される。化粧品容器１は、図２及び図３に示すように、平面視で卵型形状である。また、図４及び図５に示すように、化粧品容器１を平面視と直交する方向から視た形状は略楕円形状である。この構造によって、化粧品容器１は、使用者の片手にしっかりと固定される。また、本体５０の壁面の曲面は、最低面のわずかな平坦面まで連続しているから、深さ方向に大きな容積を確保でき、格納可能な化粧品の量も多くなる。本実施形態のレフィル１００には、２０ｇ（グラム）のファンデーションが格納可能である。これは、平面視で同一面積の従来の化粧品容器よりも、約２５重量％（パーセント）多い。
【００２２】
化粧品容器１は、使用者の片手で保持できる程度の大きさである。図４及び図５に示すように、蓋体１０と本体５０の高さの比は、ほぼ１対１であり、本実施形態において、化粧品容器１の全体の高さＨ１は３０．５ｍｍ（ミリメートル）であり、蓋体１０の高さＨ２は１５．５ｍｍ、本体５０の高さＨ３は１５．０ｍｍである。
【００２３】
化粧品容器１を平面視したときの形状を規定する要素として、図３に示す卵型形状の長軸の長さＬ１及び短軸の長さＤ１、及び短軸の位置がある。
【００２４】
卵型形状の短軸の長さＤ１の長軸の長さＬ１に対する比率α１（Ｄ１／Ｌ１）は０．７５以上０．８５以下である。そして、図３に示すように、化粧品容器１の卵型形状の長軸の長さをＬ１とすると、長さＬ１の半分の長さＬ２に対応する部分（補助線Ｘ１で示す部分）が短軸（最大の幅を有する位置）に対応しているのではなく、わずかに（長さＬ３で示す分だけ）鈍端側寄りの部分が短軸（補助線Ｘ２で示す部分）である。そして、鈍端側に寄った長さＬ３の長軸の長さＬ１に対する比率α２（Ｌ３／Ｌ１）が０．０５以上０．０７以下である。本実施形態において、卵型形状の長軸の長さＬ１は８５．６ｍｍ、短軸の長さＤ１は７０ｍｍ、Ｌ３は５ｍｍである。比率α１は０．８１、比率α２は０．０６である。
【００２５】
図４に示すように、本体５０の卵型形状の長軸の長さＬ１に対する平面部分の長さＰ１の比率α３（Ｐ１／Ｌ１）は０．５０以下であり、望ましくは０．４０以下である。また、図５に示すように、短軸の長さＤ１に対する平面部分の長さＰ２の比率α４（Ｐ２／Ｄ１）は０．５０以下であり、望ましくは０．４０以下である。比率α３及びα４は、０．００であってもよい。本実実施形態において、Ｐ１は３５ｍｍであり、Ｌ１は８５．６ｍｍであるから、比率α３は０．４０である。Ｐ２は、２７ｍｍであり、Ｄ１は７０ｍｍであるから、比率α４は０．３８である。
【００２６】
化粧品容器１の卵型形状の説明の便宜のため、卵型形状の外周をいくつかの領域に分けて説明する。図３に示すように、卵型形状の長軸を中心に外周を２分し、卵型形状の尖端からほぼ短軸に該当する位置まで、ほぼ等分に３つに区分し、第一の領域Ａ１、第二の領域Ａ２及び第三の領域Ａ３とし、ほぼ短軸に該当する位置から卵型形状の鈍端までの領域をほぼ等分に２つに区分し、第四の領域Ａ４及び第五の領域Ａ５とする。そして、卵型形状の外周の平均の曲率半径を平均曲率半径（Ｒａｂ）とする。平均曲率半径の値は、領域Ａ１，Ａ２，Ａ３，Ａ４及びＡ５における曲率半径の平均値である。
【００２７】
平均曲率半径（Ｒａｂ）に対する領域Ａ１の曲率半径Ｒ１の比率β１（Ｒ１／Ｒａｂ）は０．５５以上０．６５以下であり、平均曲率半径（Ｒａｂ）に対する領域Ａ２の曲率半径Ｒ２の比率β２（Ｒ２／Ｒａｂ）は０．９５以上１．１０以下であり、平均曲率半径（Ｒａｂ）に対する領域Ａ３の曲率半径Ｒ３の比率β３（Ｒ３／Ｒａｂ）は１．２０以上１．５０以下であり、平均曲率半径（Ｒａｂ）に対する領域Ａ４の曲率半径Ｒ４の比率β４（Ｒ４／Ｒａｂ）は０．９０以上１．２０以下であり、平均曲率半径（Ｒａｂ）に対する領域Ａ５の曲率半径Ｒ３の比率β５（Ｒ５／Ｒａｂ）は０．７０以上０．９０以下である。本実施形態において、Ｒ１は２４．５ｍｍ、Ｒ２は４２．５ｍｍ、Ｒ３は５９．５ｍｍ、Ｒ４は４５．５ｍｍ、Ｒ５は３４．５ｍｍであり、Ｒａｂは４１．３ｍｍである。そして、比率β１は０．５９、比率β２は０．９７、比率β３は１．４４、比率β４は１．１０、比率β５は０．８４である。
【００２８】
次に、化粧品容器１の楕円形状の説明の便宜のため、楕円形状の外周をいくつかの領域に分けて説明する。図５に示すように、本体５０の係止部５４を含む正面から視た略楕円形状の曲面状の外周について、蓋体１０と本体５０の接続部を含む領域を第一の領域Ｂ１、最も本体５０の底面に近い領域を第三の領域Ｂ３、領域Ｂ１と領域Ｂ３の間の領域を第二の領域Ｂ２とする。領域Ｂ１、Ｂ２及びＢ３は、ほぼ同じ外周長さを有する領域であり、領域Ｂ１、Ｂ２及びＢ３の長さの合計は、楕円形状の外周の約２０〜２５％を占める。
【００２９】
そして、領域Ｂ１、Ｂ２及びＢ３における外周の曲面状の部分の平均の曲率半径を平均曲率半径（ｒａｂ）とする。平均曲率半径（ｒａｂ）に対する領域Ｂ１の曲率半径Ｒ６の比率γ１（Ｒ６／ｒａｂ）は０．７０以上０．８５以下であり、平均曲率半径（ｒａｂ）に対する領域Ｂ２の曲率半径Ｒ７の比率γ２（Ｒ７／ｒａｂ）は０．４０以上０．５５以下であり、平均曲率半径（ｒａｂ）に対する領域Ｂ３の曲率半径Ｒ８の比率γ３（Ｒ８／ｒａｂ）は１．６０以上１．８０以下である。本実施形態において、Ｒ６は１８．５０ｍｍであり、Ｒ７は１１．５０ｍｍであり、Ｒ８は４１．００ｍｍである。そして、ｒａｂは、２３．６０ｍｍである。γ１は０．７８、γ２は０．４８、γ３は１．７３である。
【００３０】
続いて、化粧品容器１の各部について説明する。図６に示すように、レフィル１００は、レフィル蓋部１１０とレフィル容器部１５０を有する。レフィル１００は筐体５１と係合して、本体５０の一部分となる。レフィル蓋部１１０の上面は、底部１１０ａと周壁部１１０ｂからなる凹溝が形成されており、パフ２００（図７参照）を格納できるようになっている。パフ２００は、パフ本体２０２と保持帯２０４から構成される。レフィル容器１５０には、例えば、液体ファンデーションのような化粧品とスポンジ２５０（図８参照）が格納される。レフィル容器部１５０には、環状凸部１５０ａが形成されており（図６参照）、本体５０の筐体部５１の内側に形成された環状凹部と係合し、取り外し自在な状態で、固定されるようになっている。レフィル容器部１５０に格納された化粧品が消費尽くされた後は、レフィル１００のみを交換できるようになっている。レフィル１００を筐体部５１に固定したときに、レフィル容器部１５０の底部１５０ｂは外部に露出する（図４等参照）。上述の比率α３及びα４が、０．５以下、望ましくは０．４以下であるため、底部１５０ｂは、全面が平坦になっているのではない。
【００３１】
図９に示すように、蓋体１０の裏側には、蓋体１０と略相似形状の平面視卵型の鏡１２が配置されている。蓋体１０の裏側には、また、突起１４ａ，１４ｂ，１４ｃが形成されている。突起１４ａ等は、レフィル１００が固定された状態で筐体部５１と蓋体１０とが係合するときに、レフィル蓋部１１０の周壁部１１０ｂに接して、レフィル１００の固定を補助するようになっている。蓋体１０の尖端側には、ヒンジ部１６が配置されている。ヒンジ部１６は、基部１６ａと金属製の軸１６ｂを有し、軸１６ｂが筐体５１側のヒンジ部の軸受け穴部（図示せず）と係合し、蓋体１０を筐体５１に対して回動可能に軸止するようになっている。
【００３２】
図１０（図１０では、鏡１２を省略している。）に示すように、蓋体１０において、一方の端部には、ヒンジ部１６の近傍に、板状突起１６ｃが形成されている。また、他方の端部には溝１０ａが形成されており、筐体５１の固定用爪部（図示せず）と係合して、蓋体１０を筐体５１に開閉可能に固定するようになっている。
【００３３】
図１１に示すように、蓋体１０のヒンジ部１６の突起部１６ｃの高さは、基部１６ａの高さｈ１よりも、高さｈ２だけ低くなっている。また、軸１６ｂの中心から板状突起部１６ｃの上面までの距離Ｔ１、板状突起部１６ｃの幅Ｔ２は、蓋体１０を回動させて本体５０に固定したときに、本体５０側の弾性部材５８（図１４等参照）と面接触し、かつ、弾性部材５８を本体５０側に押し込むことができるように規定されている。本実施形態において、ｈ２は０．３ｍｍである。Ｔ１は５．２ｍｍ、Ｔ２は１．８ｍｍである。
【００３４】
図１３に示すように、本体５０の卵型形状の鈍端側には、筐体５１に係止部５４が配置されている。係止部５４には、蓋体１０の溝部１０ａと係合する爪部（図示せず）が形成されている。また、本体５０の卵型形状の尖端側には、筐体５１にヒンジ部５２が形成されている。ヒンジ部５２には、軸受穴部（図示せず）が形成されており、蓋体１０側のヒンジ部１６の軸１６ｂと係合するようになっている。
【００３５】
図１４は、本体５０の卵型形状の尖端側のヒンジ部５２を示す。弾性部材５８（図１５及び図１６参照）が、中間固定部材５６とヒンジ部５２の舌状部５２ａによって、固定されている。
【００３６】
図１５及び図１６に示すように、弾性部材５８は、基部５８ａと凸部５８ｂを有する。凸部５８ｂは、幅Ｗ１、長さＬ１０、高さｈ１を有する。弾性部材５８全体の高さはｈ２である。本実施形態において、Ｗ１は６ｍｍ、Ｌ１０は２．２ｍｍ、ｈ１は１．８ｍｍ、ｈ２は３．２ｍｍである。
【００３７】
図１７は、図３の補助線Ｙ１における化粧品容器１の概略端面図である。図１８は、図３の補助線Ｘ２における化粧品容器１の概略端面図である。図１７及び図１８に示すように、化粧品容器１は、空間Ｓ１及びＳ２を有する。空間Ｓ１には、パフ２００（図７参照）が格納される。空間Ｓ２には、化粧料とスポンジ２５０（図８参照）が格納される。環状リング１５０ｃによって、スポンジ２５０を空間Ｓ２に固定するようになっている。図１８の、レフィル蓋部１１０のヒンジ部１１０ｃに形成された軸受穴と、レフィル容器部１５０側の軸１５０ｄによって、レフィル蓋部１１０とレフィル容器部１５０が回動可能に固定されるようになっている。図１７及び図１８に示すように、蓋体１０が筐体５１に対して回動する方向と、レフィル蓋部１１０がレフィル容器部１５０に対して回動する方向とは、略９０度の角度をなしている。蓋体１０及びレフィル蓋部１１０がともに開いた状態は、図２４に示されている。
【００３８】
図１９は、蓋体１０が回動して本体５０に固定されるときにおける、板状突起１６ｃと弾性部材５８の相対的な動きを示す。蓋体１０が本体５０に対して十分に開いているとき（図１９（ａ）参照）には、板状突起１６ｃと弾性部材５８は乖離しているが、蓋体１０が回動すると、板状突起１６ｃは弾性部材５８次第に近づき（図１９（ｂ）参照）、接する（図１９（ｃ）参照）。板状突起１６ｃが弾性部材５８と接した時点では、弾性部材５８は本来の高さｈ１を維持している。そして、蓋体１０がさらに回動して、本体５０と固定されるまでに、弾性部材５８は変形し、高さｈ１は次第に低くなり、固定時には高さｈ３となる。弾性部材５８が高さｈ３のときには、矢印Ｘ１方向の反発力（形状回復力）が働いている。このため、蓋体１０と本体５０の固定が解除されると、この反発力によって、自動的に、蓋体１０がわずかに回動し、本体５０との間に隙間を形成するようになっている。
【００３９】
図２０に示すように、人間の手において、掌と指で自然に形成する空間は、略卵型をしている。図２０では、左手３００において、掌３００ａ及び５本の指３００ｂ，３００ｃ，３００ｄ，３００ｅ，３００ｆによって、卵型の空間を形成している。この卵型の空間は、平面視で卵型であり、それと直交する方向は、略楕円形である。すなわち、掌と指で形成する空間は、平坦な底面を有する空間ではなく、底面は曲面である。本発明の発明者は、手の構造についてのこの知見に基づいて、上記に詳述した構造の化粧品容器１が、使用者の手にしっかりと固定されることを見出した。
【００４０】
図２１に示すように、平面視で卵型形状の化粧品容器１は、掌３００ａ及び５本の指３００ｂ，３００ｃ，３００ｄ，３００ｅ，３００ｆによって形成される空間にしっかりと固定される。すなわち、化粧品容器１の卵型形状が、親指３００ｂの腹の部分と、人差指３００ｃ、中指３００ｄ、薬指３００ｅ及び小指３００ｆで形成される空間の形状と相似形であるから、掌及び５本の指で形成される空間に自然に嵌る。また、化粧品容器１を平面視と直交する方向から視た形状が楕円形状であるから、掌及び５本の指で形成される空間の深さ方向においても、化粧品容器１は掌及び５本の指で形成される空間に自然に嵌る。そして、化粧品容器１に矢印Ｚ１方向への力が加えられても、親指３００ｂの腹の部分及び人差指３００ｃ、中指３００ｄに遮られて、化粧品容器１が左手３００から抜けることはない。
【００４１】
図２２に示すように、蓋部１０と本体５０の固定を解除するために、右手４００の親指４００ａで、化粧品容器１の卵型形状の鈍端側に形成された係止部５４を押圧すると、化粧品容器１に矢印Ｚ１方向の力が加われるのであるが、左手３００から抜けることはない。
【００４２】
図２３に示すように、蓋部１０と本体５０の固定を解除して、蓋部１０を回動させて、十分に広げると、パフ２００が取り出し可能になる。そして、図２４に示すように、パフ２００を取り出して、レフィル蓋部１１０を開けると、スポンジ２５０が現れ、化粧可能な状態になる。このとき、使用者から見て、鏡１２の鈍端側（幅の広い側）が上部になるから、使用者の両目と鼻で形成される略三角形の領域を効率的に化粧することができる。
【００４３】
なお、本発明の化粧品容器は、上記実施形態に限らず、本発明の要旨を逸脱しない範囲内において種々変更を加えることができる。
【符号の説明】
【００４４】
１    化粧品容器
１０  蓋体
５０  本体
５１  筐体
１００  レフィル
１１０  レフィル蓋部
１５０  レフィル容器部
【手続補正書】
【提出日】平成29年3月9日(2017.3.9)
【手続補正１】
【補正対象書類名】特許請求の範囲
【補正対象項目名】請求項１
【補正方法】変更
【補正の内容】
【請求項１】
化粧品を格納する本体と、前記本体にヒンジ部を中心として開閉可能に係合する蓋体を有し、使用者の片手で保持できる化粧品容器であって、
前記本体、前記蓋体及び、前記本体に対して前記蓋を閉じた状態における前記化粧品容器は、それぞれ、平面視で鈍端側とそれと対向した位置にある尖端側を有する卵型形状に形成され、
平面視と直交する方向から視た形状が略楕円形状に形成されており、
前記本体の卵型形状の尖端側に形成されたヒンジ部の軸受穴部と前記蓋体に形成されたヒンジ部の軸とが係合し、前記ヒンジ部を中心に前記蓋体が前記本体に対して回動するように形成されている、
化粧品容器。
【国際調査報告】
2017212604.tif 000027
2017212604.tif 000028
2017212604.tif 000029
2017212604.tif 000030